(57)【要約】【課題】  立体形状を有する物品にラベルを貼付する場合において、ラベルを物品の正面部から側面部に至るようにして簡単に貼付できるようにする。【解決手段】  立体形状を有する物品１の正面部１ａから側面部１ｂに至るようにしてラベル１２を貼付するラベル貼付装置３０において、ラベルの貼付面１２ａが物品と対向するようにしてラベルを保持するラベル保持手段と、ラベル保持手段に保持されたラベルを第１押し出し部材３２により押し出して、ラベルを物品の正面部に貼付させる第１貼付手段と、物品に貼付されずに物品の正面部から側方に突出したラベルの側部を第２押し出し部材３３により押し出して、このラベルの側部を物品の側面部に貼付させる第２貼付手段とを設けた。【選択図】  図１０
2006232308.tif 000002
【特許請求の範囲】
【請求項１】
立体形状を有する物品の正面部から側面部に至るようにしてラベルを貼付するラベル貼付装置であって、ラベルの貼付面が上記の物品と対向するようにしてラベルを保持するラベル保持手段と、ラベル保持手段に保持されたラベルを第１押し出し部材により押し出して、ラベルを物品の正面部に貼付させる第１貼付手段と、物品に貼付されずに物品の正面部から側方に突出したラベルの側部を第２押し出し部材により押し出して、このラベルの側部を物品の側面部に貼付させる第２貼付手段とを備えたことを特徴とするラベル貼付装置。
【請求項２】
請求項１に記載のラベル貼付装置において、上記の第２押し出し部材の先端部に弾性体で構成された押し付け脚部が設けられ、この押し付け脚部の先端部が先端側に向かって広がった形状になっていることを特徴とするラベル貼付装置。
【請求項３】
請求項１又は請求項２に記載のラベル貼付装置において、上記の第１貼付手段として、ラベルを物品の正面部に貼付させる位置まで上記の第１押し出し部材と第２押し出し部材とを押し出す第１駆動装置を設けると共に、上記の第２貼付手段として、ラベルを物品の正面部に貼付させる位置まで押し出された上記の第２押し出し部材をさらに物品の側面部に押し出す第２駆動装置を設けたことを特徴とするラベル貼付装置。
【請求項４】
請求項１〜請求項３の何れか１項に記載のラベル貼付装置を用いたラベル連続貼付装置であって、上記のラベル貼付装置におけるラベル保持手段にラベルを供給するラベル供給手段と、上記の物品をラベル貼付装置に導く送り装置と、この送り装置によって搬送される物品の位置を検知するセンサーと、このセンサーに基づいて上記の物品にラベルを貼付させるように上記のラベル貼付装置を作動させる制御装置とを備えたことを特徴とするラベル連続貼付装置。
【発明の詳細な説明】
【技術分野】
【０００１】
この発明はラベル貼付装置及びこのラベル貼付装置を用いたラベル連続貼付装置に係り、特に、立体形状を有する物品、例えば三角形状に成型されて包装材で包装されたパックおにぎり等の物品の正面部から側面部に至るようにしてラベルを簡単に貼付できるようにした点に特徴を有するものである。
【背景技術】
【０００２】
従来より、三角形状に成型されて包装材で包装されたパックおにぎり等の物品において、その物品の内容等を表示したラベルを貼付させることが広く行われている。
【０００３】
ここで、従来においては、上記のような三角形状に成型されて包装材で包装されたパックおにぎりからなる物品にラベルを貼付させるにあたっては、一般に、図１（Ａ），（Ｂ）に示すように、横方向に連続した剥離シート１１の上に、粘着剤が付与された貼付面１２ａによりラベル１２を横方向に適当な間隔を介して貼付させたラベル連続体１０を用いるようにしている。
【０００４】
そして、図２（Ａ），（Ｂ）に示すように、コンベア等の送り装置２０によって上記の物品１を搬送させると共に、上記のラベル連続体１０をガイド部材２１に沿って上記のように搬送される物品１に導くようにしている。そして、このガイド部材２１の先端の折り返し部２１ａにおいて、上記の剥離シート１１に貼着されたラベル１２を剥離シート１１から剥離させ、このように剥離されたラベル１２の貼付面１２ａを上記の物品１の正面部１ａに貼付させると共に、上記のようにラベル１２が剥離された剥離シート１１を上記の折り返し部２１ａにおいて折り返して移動させるようにしている。
【０００５】
ここで、従来においては、上記のように三角形状に成型されて包装材で包装されたパックおにぎりからなる物品１の正面部１ａにだけラベル１２を貼付させるようにしていた。
【０００６】
しかし、近年においては、ラベル１２に様々な情報を表示したり、三角形状に成型されて包装材で包装されたパックおにぎりからなる物品１に高級感を与える等の目的で、ラベル１２を大きくして、図３に示すように、ラベル１２を物品１の正面部１ａだけではなく、正面部１ａから側面部１ｂに至るようにして貼付させることが要望されるようになった。
【０００７】
ここで、上記のようにして物品１にラベル１２を貼付させた場合、物品１の正面部１ａから側面部１ｂに至るようにして、ラベル１２を貼付させることができず、図４に示すように、ラベル１２が物品１の正面部１ａにだけ貼付されて、ラベル１２の両側部が貼付されずに浮いた状態になるという問題があった。
【０００８】
また、従来においても、上記のような三角形状に成型されて包装材で包装されたパックおにぎりからなる物品にラベルを貼付させるための様々な方法が提案されているが（例えば、特許文献１，２参照。）、何れも上記の図３に示すように、ラベル１２を物品１の正面部１ａだけではなく、正面部１ａから側面部１ｂに至るようにして貼付させることはできなかった。
【０００９】
このため、本発明者等は、上記のようにしてラベル１２が物品１の正面部１ａにだけ貼付されて、ラベル１２の両側部が貼付されずに浮いた状態になった物品１を、図５（Ａ），（Ｂ）に示すように、ハ字型状に配置された一対の押えローラ２２，２２の間を通し、上記のように貼付されずに浮いた状態にあるラベル１２の両側部を物品１の両側の側面部１ｂに貼付させることを考え付いた。
【００１０】
しかし、前記のようにコンベア等の送り装置２０によって物品１を移動させながら上記のようにラベル１２を物品１の正面部１ａに貼付させた後、ラベル１２の両側部が貼付されずに浮いた状態になる物品１を前記のようにハ字型状に配置された一対の押えローラ２２，２２の間を通す場合、工程が多くなって、作業効率が悪く、装置も大型化するという問題があった。さらに、上記のようにラベル１２の両側部が貼付されずに浮いた状態になる物品１をコンベア等の送り装置２０によって移動させている間や、上記のハ字型状に配置された一対の押えローラ２２，２２の間を通す場合等に、浮いた状態にあるラベル１２の両側部の貼付面１２ａが他の物品１や装置に付着して、作業を停止しなければならなくなる等の問題があった。
【特許文献１】特開平９−１４２４２６号公報
【特許文献２】特開平１０−３３１３０号公報
【発明の開示】
【発明が解決しようとする課題】
【００１１】
この発明は、立体形状を有する物品、例えば三角形状に成型されて包装材で包装されたパックおにぎり等の物品にラベルを貼付する場合において、ラベルを物品の正面部から側面部に至るようにして簡単に貼付できるようにすることを課題とするものである。
【課題を解決するための手段】
【００１２】
この発明におけるラベル貼付装置においては、上記のような課題を解決するため、立体形状を有する物品の正面部から側面部に至るようにしてラベルを貼付するため、ラベルの貼付面が上記の物品と対向するようにしてラベルを保持するラベル保持手段と、ラベル保持手段に保持されたラベルを第１押し出し部材により押し出して、ラベルを物品の正面部に貼付させる第１貼付手段と、物品に貼付されずに物品の正面部から側方に突出したラベルの側部を第２押し出し部材により押し出して、このラベルの側部を物品の側面部に貼付させる第２貼付手段とを設けるようにした。
【００１３】
また、この発明におけるラベル貼付装置においては、物品の正面部から側方に突出したラベルの側部を物品の側面部に貼付させる上記の第２押し出し部材として、物品に押し付ける先端部に弾性体で構成された押し付け脚部が設けられると共に、この押し付け脚部の先端部が先端側に向かって広がった形状になったものを用いることが好ましい。
【００１４】
また、この発明におけるラベル貼付装置においては、上記の第１貼付手段として、ラベルを物品の正面部に貼付させる位置まで上記の第１押し出し部材と第２押し出し部材とを押し出す第１駆動装置を設けると共に、上記の第２貼付手段として、ラベルを物品の正面部に貼付させる位置まで押し出された上記の第２押し出し部材をさらに物品の側面部にまで押し出す第２駆動装置を設けるようにすることが好ましい。
【００１５】
また、この発明におけるラベル連続貼付装置においては、上記のようなラベル貼付装置を用い、このラベル貼付装置におけるラベル保持手段にラベルを供給するラベル供給手段と、上記の物品をラベル貼付装置に導く送り装置と、この送り装置によって搬送される物品の位置を検知するセンサーと、このセンサーに基づいて上記の物品にラベルを貼付させるように上記のラベル貼付装置を作動させる制御装置とを備えるようにした。
【発明の効果】
【００１６】
この発明におけるラベル貼付装置においては、ラベル保持手段によりラベルの貼付面が物品と対向するようにしてラベルを保持し、このように保持されたラベルを第１貼付手段における第１押し出し部材により押し出して、ラベルを物品の正面部に貼付し、また物品に貼付されずに物品の正面部から側方に突出したラベルの側部を第２貼付手段における第２押し出し部材により押し出して、このラベルの側部を物品の側面部に貼付させることができる。
【００１７】
この結果、この発明におけるラベル貼付装置においては、立体形状を有する物品、例えば三角形状に成型されて包装材で包装されたパックおにぎり等の物品にラベルを貼付する場合において、ラベルを物品の正面部から側面部に至るようにして簡単に貼付できるようになる。
【００１８】
また、この発明におけるラベル貼付装置において、物品の正面部から側方に突出したラベルの側部を物品の側面部に貼付させる第２押し出し部材の先端部に弾性体で構成された押し付け脚部を設けると、物品の側面部から少しずれても、この押し付け脚部が物品の側面部に沿うように変形し、ラベルの側部が物品の側面部に適切に貼付されるようになる。また、この押し付け脚部の先端部を先端側に向かって広がった形状にすると、このように広がった先端によって物品の側面部にラベルの側部がより広い範囲で適切に押し付けられて、ラベルの側部が物品の側面部にさらに適切に貼付されるようになる。
【００１９】
また、この発明におけるラベル貼付装置において、上記の第１貼付手段として第１駆動装置を設け、この第１駆動装置によりラベルを物品の正面部に貼付させる位置まで上記の第１押し出し部材と第２押し出し部材とを一緒に押し出すようにすると、ラベルが第１押し出し部材と第２押し出し部材とにより保持され、ラベルが歪んだりするのが抑制されて、ラベルが物品の正面部に適切に貼付されるようになる。また、上記の第２貼付手段として第２駆動装置を設け、上記のように押し出された第２押し出し部材をさらに物品の側面部に押し出すようにすると、物品の正面部から側方に突出したラベルの側部が物品の側面部に適切に貼付されるようになる。
【００２０】
また、この発明におけるラベル連続貼付装置においては、上記のようなラベル貼付装置を用い、このラベル貼付装置にラベル供給手段によって順々にラベルを供給し、このように供給されたラベルをラベル保持手段によってラベル貼付装置に保持させると共に、送り装置によって上記の物品を順々にラベル貼付装置に導くようにし、この送り装置によって搬送される物品の位置をセンサーにより検知し、このセンサーの検知結果に基づいて、制御装置により上記のラベル貼付装置を作動させ、ラベル貼付装置の位置に導かれた物品にラベルを貼付させることができる。
【００２１】
この結果、この発明におけるラベル連続貼付装置を用いると、立体形状を有する物品、例えば三角形状に成型されて包装材で包装されたパックおにぎり等の物品に対して、ラベルを物品の正面部から側面部に至るようにして連続して簡単に貼付できるようになる。
【発明を実施するための最良の形態】
【００２２】
以下、この発明の実施形態に係るラベル貼付装置及びラベル連続貼付装置を添付図面に基づいて具体的に説明する。なお、この発明に係る機能性ラベル及びその製造方法は、特に下記の実施形態に示したものに限定されるものではなく、その要旨を変更しない範囲において適宜変更して実施できるものである。
【００２３】
この実施形態においては、図３に示すように、三角形状に成型されて包装材で包装されたパックおにぎりからなる物品１に対して、ラベル１２をこの物品１の正面部１ａから側面部１ｂに至るようにして貼付させる場合について説明する。
【００２４】
ここで、この実施形態におけるラベル連続貼付装置においては、図６に示すように、上記の物品１をコンベア等の送り装置２０により搬送させてラベル貼付装置３０に導くようにすると共に、このようにラベル貼付装置３０に導かれる物品１が所定の位置に達するのをセンサー４１により検知し、このセンサー４１による検知結果に基づいて、制御装置４２により、上記の物品１がラベル貼付装置３０に導かれるのと同期して、このラベル貼付装置３０を作動させ、このラベル貼付装置３０に保持されたラベル１２を上記の物品１の正面部１ａから側面部１ｂに至るようにして貼付させるようになっている。
【００２５】
ここで、この実施形態においては、図７に示すように、上下方向に連続した剥離シート１１の上に、ラベル１２を上下方向に適当な間隔を介するようにして多数貼付させたラベル連続体１０を用いるようにしている。
【００２６】
そして、上記のラベル連続体１０に貼付されたラベル１２をラベル供給手段によってラベル貼付装置３０に供給するにあたり、この実施形態においては、図８に示すように、上記のラベル連続体１０をラベル貼付装置３０の下方からガイド部材２１に沿ってラベル貼付装置３０に導き、上記のガイド部材２１の先端の折り返し部２１ａにおいて、剥離シート１１に貼付されたラベル１２を剥離シート１１から剥離させ、このように剥離されたラベル１２をその貼付面１２ａと反対側の面がラベル貼付装置３０側に位置するようにしてラベル貼付装置３０に供給するようにしている。また、上記のようにしてラベル１２が剥離された剥離シート１１を上記の折り返し部２１ａにおいて折り返して移動させるようにしている。
【００２７】
また、上記のように供給されたラベル１２をラベル保持手段によりラベル貼付装置３０において保持するにあたり、この実施形態においては、図９に示すように、このラベル貼付装置３０の前面部に所定の形状になった開口部３１を設け、この開口部３１を通して吸引装置（図示せず）により上記のように供給されたラベル１２を吸引保持させるようにしている。なお、上記の開口部３１の形状は、後述する第１押し出し部材３２及び第２押し出し部材３３を突出させることができるような形状になっている。
【００２８】
また、この実施形態においては、図１０及び図１１に示すように、上記のラベル貼付装置３０に、先端面が長方形状になった板状の第１押し出し部材３２を物品１の正面部１ａの大きさに合うようにして所要間隔を介して３つ設けると共に、棒材３３ａの先端部にゴムで構成された押し付け脚部３３ｂが設けられ、この押し付け脚部３３ｂの先端部が先端側に向かって広がった形状になった第２押し出し部材３３を、上記の物品１の側面部１ｂに対応するように、ハ字型になるようにして両側にそれぞれ２つ設け、上記のようにラベル１２を開口部３１に吸引保持させた状態では、これらの第１押し出し部材３２及び第２押し出し部材３３が上記の開口部３１を通してラベル貼付装置３０内に収容されるようにしている。
【００２９】
また、上記の図１１に示すように、上記のラベル貼付装置３０内にメインシリンダからなる第１駆動装置３４とサブシリンダからなる第２駆動装置３５とを設け、上記の第１駆動装置３４により上記の第１押し出し部材３２と第２押し出し部材３３とを、ラベル１２を物品１の正面部１ａに貼付させる位置まで押し出すようにすると共に、上記の第２駆動装置３５により上記のように押し出された第２押し出し部材３３をさらに物品１の側面部１ｂに押し出すようにしている。
【００３０】
そして、この実施形態においては、上記のように物品１が送り装置２０により搬送され、この物品１がセンサー４１により検知されて、物品１がラベル貼付装置３０に保持されたラベル１２の位置に達するのと同期して、上記の制御装置４２によってこのラベル貼付装置３０を作動させ、上記の第１駆動装置３４により、図１２（Ａ），（Ｂ）に示すように、上記の第１押し出し部材３２と第２押し出し部材３３とをラベル１２を物品１の正面部１ａに貼付させる位置まで押し出して、物品１の正面部１ａにラベル１２を貼付させた直後に、上記の第２駆動装置３５により、図１３に示すように、上記のように押し出された第２押し出し部材３３をさらに押し出して、物品１の正面部１ａから両側に突出していたラベル１２の両側部を両側に位置する各第２押し出し部材３３により折り曲げて、物品１の両側の側面部１ｂに貼付させるようにしている。
【００３１】
ここで、この実施形態においては、上記のように各第２押し出し部材３３の先端部にゴムで構成された押し付け脚部３３ｂを設けているため、上記のように物品１を送り装置２０により搬送させながらラベル１２を貼付する場合において、第２押し出し部材３３の位置が物品１の側面部１ｂから少しずれたとしても、この押し付け脚部３３ｂが物品１の側面部１ｂに沿うように変形し、ラベル１２の側部が物品１の側面部１ｂに適切に貼付されるようになる。また、この押し付け脚部３３ｂの先端部を先端側に向かって広がった形状にしているため、図１４に示すように、上記の押し付け脚部３３ｂが折れ曲がり、上記のように広がった押し付け脚部３３ｂの先端によってラベル１２の側部が物品１の側面部１ｂに広い範囲で適切に押し付けられ、ラベル１２の側部が物品１の側面部１ｂにさらに適切に貼付されるようになる。
【００３２】
このようにして三角形状に成型されて包装材で包装されたパックおにぎりからなる物品１にラベル１２を貼付させると、上記の送り装置２０によって順々に搬送される上記の物品１に対して、ラベル１２をこの物品１の正面部１ａから側面部１ｂに至るようにして簡単且つ確実に連続して貼付できるようになる。
【００３３】
なお、この実施形態においては、上記のように第１駆動装置３４により、ラベル１２を物品１の正面部に貼付させる位置まで第１押し出し部材３２と第２押し出し部材３３とを一緒に押し出した直後に、第２駆動装置３５により上記のように押し出された第２押し出し部材３３をさらに押し出すようにしたが、上記の第１押し出し部材３２と第２押し出し部材３３とをそれぞれ別に同時に押し出して、第１押し出し部材３２によりラベル１２を物品１の正面部に貼付させると共に、第２押し出し部材３３によりラベル１２の両側部を物品１の両側の側面部１ｂに貼付させるようにすることも可能である。
【００３４】
また、この実施形態においては、第１押し出し部材３２として、先端面が長方形状になった板状のものを所要間隔を介して３つ設けるようにしたが、この第１押し出し部材３２の形状や数は特に限定されず、ラベル１２を貼付させる物品１の形状や大きさに応じて適宜変更することができる。また、第２押し出し部材３３として、棒材３３ａの先端部にゴムで構成された押し付け脚部３３ｂが設けられ、この押し付け脚部３３ｂの先端部が先端側に向かって広がった形状になったものを、上記の物品１の側面部１ｂに合うように、ハ字型になるようにして両側にそれぞれ２つ設けるようにしたが、この第２押し出し部材３３の数や配置や形状も、ラベル１２を貼付させる物品１の形状や大きさに応じて適宜変更することができる。
【図面の簡単な説明】
【００３５】
【図１】横方向に連続した剥離シートの上にラベルを横方向に適当な間隔を介して貼付させたラベル連続体を示し、（Ａ）は正面図、（Ｂ）は平面図である。
【図２】従来例において、三角形状に成型されて包装材で包装されたパックおにぎりからなる物品にラベルを貼付させる状態を示し、（Ａ）は概略正面図、（Ｂ）は概略平面図である。
【図３】三角形状に成型されて包装材で包装されたパックおにぎりからなる物品の正面部から側面部に至るようにしてラベルを貼付させた状態を示した概略斜視図である。
【図４】三角形状に成型されて包装材で包装されたパックおにぎりからなる物品の正面部にだけラベルが貼付されて、ラベルの両側部が物品の側面部に貼付されずに浮いている状態を示した概略正面図である。
【図５】図４に示すように浮いた状態にあるラベルの両側部を物品の側面部に貼付させる状態を示し、（Ａ）は概略正面図、（Ｂ）は概略平面図である。
【図６】この発明の一実施形態において、物品を送り装置により搬送させてラベル貼付装置によりラベルを貼付させる状態を概略説明図である。
【図７】上記の実施形態において使用するラベル連続体を示した正面図である。
【図８】上記の実施形態において、ラベル連続体に貼付されたラベルをラベル貼付装置に供給する状態を示した概略側面図である。
【図９】上記の実施形態において、供給されたラベルをラベル貼付装置において保持した状態を示した概略正面図である。
【図１０】上記の実施形態において使用するラベル貼付装置の正面側の部分説明図である。
【図１１】上記の実施形態において使用するラベル貼付装置の内部構造を示した概略説明図である。
【図１２】上記の実施形態において、ラベル貼付装置に設けられた第１押し出し部材と第２押し出し部材とを、ラベルを物品の正面部に貼付させる位置まで押し出して、物品の正面部にラベルを貼付させる状態を示し、（Ａ）は概略平面図、（Ｂ）は物品の正面側の概略説明図である。
【図１３】上記の実施形態において、図１２に示すように押し出された第２押し出し部材をさらに押し出して、ラベルの両側部を物品の両側の側面部に貼付させる状態を示した概略平面図である。
【図１４】上記の実施形態において、第２押し出し部材の先端部における弾性体で構成された押し付け脚部が折れ曲がり、広がった押し付け脚部の先端によってラベルの側部が物品の側面部に押し付けられる状態を示した部分説明図である。
【符号の説明】
【００３６】
１  物品
１ａ  正面部
１ｂ  側面部
１０  ラベル連続体
１１  剥離シート
１２  ラベル
２０  送り装置
２１  ガイド部材
２１ａ  折り返し部
３０  ラベル貼付装置
３１  開口部
３２  第１押し出し部材
３３  第２押し出し部材
３３ａ  棒材
３３ｂ  押し付け脚部
３４  第１駆動装置
３５  第２駆動装置
４１  センサー
４２  制御装置
【図１】
2006232308.tif 000003
【図２】
2006232308.tif 000004
【図３】
2006232308.tif 000005
【図４】
2006232308.tif 000006
【図５】
2006232308.tif 000007
【図６】
2006232308.tif 000008
【図７】
2006232308.tif 000009
【図８】
2006232308.tif 000010
【図９】
2006232308.tif 000011
【図１０】
2006232308.tif 000012
【図１１】
2006232308.tif 000013
【図１２】
2006232308.tif 000014
【図１３】
2006232308.tif 000015
【図１４】
2006232308.tif 000016